(57)【要約】【課題】ディスクをクランプする際に、カートリッジ内にダストが混入することを防止し、かつ安定した回転駆動を可能とする光ディスク一体型カートリッジと、これを用いる光ディスク回転装置及び光記録再生装置を提供する。【解決手段】光ディスク２の中心軸に沿って、光ディスク２の両面から突出して第１及び第２の支持体４及び５が光ディスク２に固定されて成り、少なくとも第１の支持体４は、磁性体より成り、第１及び第２の支持体４及び５の両先端部が、潤滑剤６及び７を介してカートリッジ１の内側に摺動自在に接触されて成る。【選択図】図１
2005332450.tif 000002
【特許請求の範囲】
【請求項１】
光ディスクの中心軸に沿って、上記光ディスクの両面から突出して第１及び第２の支持体が上記光ディスクに固定されて成り、
少なくとも上記第１の支持体は、磁性体より成り、
上記第１及び第２の支持体の両先端部が、潤滑剤を介してカートリッジの内側に摺動自在に接触されて成る
ことを特徴とする光ディスク一体型カートリッジ。
【請求項２】
上記カートリッジの上記第１及び第２の支持体の両先端部が接触される部分に、凹部が設けられて成ることを特徴とする請求項１記載の光ディスク一体型カートリッジ。
【請求項３】
光ディスクの中心軸に沿って、上記光ディスクの両面から突出して第１及び第２の支持体が上記光ディスクに固定され、少なくとも上記第１の支持体が磁性体より成り、上記第１及び第２の支持体の両先端部が、潤滑剤を介して摺動自在に接触された光ディスク一体型カートリッジが用いられ、
上記光ディスクのクランプ機構において、クランパが磁性体より成り、
上記クランパが、上記光ディスクの上記第１の支持体と、カートリッジを介して磁気的に密着されて、上記クランパの回転により上記光ディスクが回転される回転機構部を有する
ことを特徴とする光ディスク回転装置。
【請求項４】
光ディスクの情報が記録された記録面に対して近接場光を照射して記録及び／又は再生がなされる光記録再生装置であって、
上記光ディスクのクランプ機構におけるクランパが磁性体より成り、
上記クランパが、上記光ディスクに固定された磁性体より成る支持体と、上記光ディスクを収容するカートリッジを介して磁気的に密着されて、上記クランパの回転により上記光ディスクが回転される回転機構部を有する
ことを特徴とする光記録再生装置。
【発明の詳細な説明】
【技術分野】
【０００１】
本発明は、特に近接場光を用いて記録及び／又は再生を行う光ディスクに適用して好適な、光ディスク一体型カートリッジと、これを用いる光ディスク回転装置及び光記録再生装置に関する。
【背景技術】
【０００２】
ＣＤ（Compact Disc）、ＭＤ（Mini Disc）、ＤＶＤ（Digital Versatile Disc）などの各種の光ディスクを用いる記録再生装置等において、この光ディスクの回転機構への着脱にあたっては、種々の方法が採られている。
例えば、ＣＤやＤＶＤ等のカートリッジがないディスクでは、光ディスクの中央部にある孔に回転機構の回転軸を差し込み、ピボットにてディスクと回転軸とを固定する方法が多く採られている。
【０００３】
また、ディスクがカートリッジ内に納められている光磁気ディスク（ＭＯ）やミニディスク（ＭＤ）等では、ディスクの中心孔に設置された磁性体のクランパを回転軸に設置された磁石によりディスクと回転軸とを固定する方法が、多く採用されている。
【０００４】
あるいは、カートリッジ内部を２重構造にして、回転機構へクランプしない状態では、クランプ部分の開口部をカートリッジ内部のシャッターで閉じており、クランプするときにだけ、内部シャッターが開口し、ディスクがカートリッジ外部に露出し、ピボットないし磁石にてクランプするという方法もある。この方法は、例えばBlu-ray Discで採用されている。
【０００５】
また、磁気的結合による遠隔的作用によって、外部の回転磁界に連動してカートリッジ内に装着したディスクを回転駆動する方法も提案されている（例えば特許文献１及び２参照。）。
【０００６】
【特許文献１】特開昭56−137555号公報
【特許文献２】特公昭61−52552号公報
【発明の開示】
【発明が解決しようとする課題】
【０００７】
しかしながら、上述したピボットにより回転軸を固定する方法、磁石にて回転軸を固定する方法、また内部シャッターを具備する方法のどの場合においても、ディスクを回転機構の回転軸に固定する際には、ディスクがカートリッジ外部に露出することには変わりない。
このため、ディスクをクランプする際に、クランプ部の開口部が外気に晒されることとなるため、この開口部から大気中のダストが入り込み、ディスク面上を汚染する可能性がある。
【０００８】
特に、上述のBlu-ray Discの次世代ディスクとして研究開発が進められている近接場光を用いて記録及び／又は再生が行われる光ディスクシステムにおいては、従来のＣＤ、ＤＶＤ、Blu-rayディスク以上に、空気中の微小なダストはもちろん、油分などの分子の混入も重大な問題となる。これは、光ピックアップと光ディスクとの間のギャップが数十ｎｍ程度であり、開口部から進入したダストによりこのような微小なギャップを維持するのが困難となるからである。
例えば、ダストがレンズに付着すると、ギャップサーボエラー信号不良によりギャップサーボ動作が行えなくなるろか、あるいは、ダストによりレンズが必要以上にサーボ動作によって振られ、これに起因する外乱によって結果的にギャップサーボ動作が行えなくなるなどの問題がある。
【０００９】
このため、近接場光を用いた光ディスクでは、クランプ時に混入するダストを防止し、このようなダストの混入によるギャップサーボ破綻を防止する手段が求められる。
特に、線速度一定で光ディスクを回転するいわゆるＣＬＶ（Constant Linear Velocity）方式を採る場合、内側部ほど回転速度が高くなるため、ダストが中央側に集中するという問題も生じる。
クランプ部を上述したような磁気的結合を利用した遠隔作用によって回転駆動可能とする方法を採れば、カートリッジのクランパ部の開口をなくし、光ピックアップ部とのコンタクト部を除いてカートリッジを密閉した状態にできる可能性はあるが、遠隔作用による回転駆動は、軸ずれによるトラッキング動作の不安定化を生じるという問題がある。
【００１０】
以上のような事情に鑑み、本発明の目的は、ディスクをクランプする際に、カートリッジ内にダストが混入することを防止し、かつ安定した回転駆動を可能とする光ディスク一体型カートリッジと、これを用いる光ディスク回転装置及び光記録再生装置を提供することを目的とする。
【課題を解決するための手段】
【００１１】
上記目的を達成するため、本発明に係る光ディスク一体型カートリッジは、光ディスクの中心軸に沿って、光ディスクの両面から突出して第１及び第２の支持体が光ディスクに固定されて成り、少なくとも第１の支持体は、磁性体より成り、第１及び第２の支持体の両先端部が、潤滑剤を介してカートリッジの内側に摺動自在に接触されて成ることを特徴とする。
【００１２】
また、本発明による光ディスク一体型カートリッジは、上述の構成において、カートリッジの第１及び第２の支持体の両先端部が接触される部分に、凹部が設けられて成ることを特徴とする。
【００１３】
更に、本発明による光ディスク回転装置は、光ディスクの中心軸に沿って、この光ディスクの両面から突出して第１及び第２の支持体が光ディスクに固定され、少なくとも第１の支持体が磁性体より成り、第１及び第２の支持体の両先端部が、潤滑剤を介して摺動自在に接触された光ディスク一体型カートリッジが用いられ、光ディスクのクランプ機構において、クランパが磁性体より成り、クランパが、光ディスクの第１の支持体と、カートリッジを介して磁気的に密着されて、クランパの回転により光ディスクが回転される回転機構部を有することを特徴とする。
【００１４】
また、本発明による光記録再生装置は、光ディスクの情報が記録された記録面に対して近接場光を照射して記録及び／又は再生がなされる光記録再生装置であって、光ディスクのクランプ機構におけるクランパが磁性体より成り、このクランパが、光ディスクに固定された磁性体より成る支持体と、光ディスクを収容するカートリッジを介して磁気的に密着されて、クランパの回転により光ディスクが回転される回転機構部を有することを特徴とする。
【発明の効果】
【００１５】
上述の本発明による光ディスク一体型カートリッジによれば、光ディスクに固定された支持体を、カートリッジの内側に摺動自在に、すなわち回転動作を妨げることなく接触させると共に、この支持体が磁性体より成ることから、この支持体を、カートリッジを介して外部のクランプ機構の磁性体より成るクランパと磁気力により密着させることによって、安定して光ディスクを回転駆動させることができる。
したがって、光ディスクを回転機構に固定する際に、クランパに固定するためにディスクカートリッジを開口する必要がなく、光ピックアップに対する開口部以外は密閉した状態で回転機構に安定に固定することが可能となり、クランプ部分からのカートリッジへのダストの混入を効果的に抑制することが可能となる。
【００１６】
また、本発明による光ディスク一体型カートリッジにおいて、カートリッジの内側の支持体を固定する部分に凹部を設けることによって、より安定して光ディスクの支持部を固定し、軸ずれを抑制した安定した回転駆動をより確実に行うことができる。
【００１７】
また、本発明による光ディスク回転装置によれば、上述したように、本発明構成の光ディスク一体型カートリッジを用いて、安定した回転駆動を行うことができ、また光ディスクのカートリッジの密閉性を高め、ダストの混入をより抑制して回転駆動を行うことが可能となる。
【００１８】
更に、本発明による光記録再生装置によれば、より密閉性の高いカートリッジに一体に収容した光ディスクに対して、近接場光を用いた記録及び／又は再生を安定して行うことができ、ダストの混入によるサーボ特性への影響を抑制し、記録及び／又は再生を安定して行うことの可能な光記録再生装置を提供することができる。
【発明を実施するための最良の形態】
【００１９】
以下、本発明の実施の形態の例を説明するが、本発明は以下の例に限定されるものではない。
図１においては、本発明による光ディスク一体型カートリッジの一例の内部構造の概略構成図を示す。本発明による光ディスク一体型カートリッジ１においては、光ディスク２の中心軸に沿って、この光ディスク２の両面から突出する第１及び第２の支持体４及び５が光ディスク２に固定され、これら第１及び第２の支持体４及び５の両先端部が、潤滑剤６及び７を介してカートリッジ１の内側に摺動自在に接触されて成る。
そして、少なくとも第１の支持体を、磁性体より構成する。
【００２０】
また、カートリッジ１には、光ピックアップがアクセスするシャッター３が設けられる。このシャッター３以外は、密閉されたカートリッジ１に光ディスク２を納めることができる。
【００２１】
図２に、本発明による光ディスク回転装置の要部の回転機構の概略構成を示す。光ディスクを回転するスピンドルモーター等の回転手段１１と、回転軸１２に設置されたクランパ１３とより構成される。クランパ１３は、磁性を有するものとする。
【００２２】
このような光ディスク回転機構に本発明による光ディスク一体型カートリッジ１を装着した状態の概略構成を図３に示す。図３において、図１及び図２と対応する部分には同一符号を付して重複説明を省略する。
この場合、カートリッジ１の内側の支持体４及び５が接触する部分に、凹部８及び９が設ける例を示す。
回転手段１１の先端のクランパ１３が、カートリッジ１を介して光ディスク２に磁気力により密着されて、安定に固定される。
【００２３】
一方、第１及び第２の支持体４及び５は、潤滑剤６及び７の存在によって、回転摩擦抵抗が十分低減化され、回転手段１１による回転速度を損なうことなく安定に回転される。
この場合、カートリッジ１を介するものの、空気を介した遠隔的作用ではなく、支持体４とクランパ１３とが密着されて固定されるため、磁気力によって固定された支持体４は、軸ずれを生じることなく安定した回転駆動がなされ、トラッキング動作などに支障を生じることを回避できる。
【００２４】
またこの場合、凹部８及び９を設けることによって、各支持体４及び５が軸ずれを生じることなく安定して回転することが可能となる。凹部８及び９の幅及び深さは、支持体４及び５の形状により、回転速度を損なわない形状に適宜選択可能である。
【００２５】
図４に、本発明による光ディスク一体型カートリッジを用いた光記録再生装置の一例の概略構成図を示す。この例においては、情報源２１から出力される情報に対応して光源からの光を近接場光として光ディスク２に照射して記録する場合を示す。図４において、図３と対応する部分には同一符号を付して重複説明を省略する。
すなわち、レーザーダイオード（ＬＤ）等より成る光源２３から出射される光は、情報源２１により情報信号に対応して変調され、また自動パワー制御手段（ＡＰＣ）２２により出力が制御される。そしてこの出射光は、コリメーターレンズ２４により平行光とされ、ビームスピリッター２６、ミラー２７を介して、光ヘッド部に入射される。
【００２６】
ここで、光ディスク２に対し近接場光を照射する手段として、例えばソリッドイマルジョンレンズ（ＳＩＬ）３０及び非球面レンズ等より成る光学レンズ２９から構成される開口数１以上を達成する集光レンズを用いることができる。このレンズとしては、その他開口数１以上を実現する例えばソリッドイマルジョンミラー（ＳＩＭ）などの種々のレンズを用いることも可能である。これらの集光レンズは、アクチュエーター２８に固定される。そして、ミラー２７により反射された光は、この集光レンズを介して光記録媒体２の情報が記録される記録面に、近接場光として照射される。すなわち、光ヘッド部におけるＳＩＬ３０を光ディスク２の表面に対し照射する光の波長の１／４以下の距離、例えば数十ｎｍ程度の間隔をもって対向させる。
【００２７】
そして、この光ディスク２は、上述したように、一体型カートリッジ１に収容されて成る。カートリッジ１には、上述の集光レンズを含む光ピックアップ部をアクセスさせるシャッター３以外に開口部が設けられず、より密閉した状態に保持されて、ダストの混入を従来に比して低減化することができる。
なお、この光ディスク２は、これを回転移動する回転手段１１上に保持されて回転駆動され、図示しないが例えば集光レンズを含む光ピックアップ側を、この光ディスク２の記録面に沿って平行移動する水平移動機構との連動によって、光源２３から照射される近接場光が光ディスク２の盤面に沿って例えばスパイラル状、同心円状の記録トラックに沿って走査される構成とする。
【００２８】
このようにして近接場光として照射された光は、光ディスク２に反射されて、ＳＩＬ３０、光学レンズ２９、ミラー２７を介してビームスプリッター２６により反射されて、フォトディテクター（ＰＤ）３１において検出される。そして検出された戻り光量が、ギャップサーボ３２に入力され、検出光量値からギャップ制御信号Ｓｇが出力され、アクチュエーター２８に入力されて、光ピックアップの例えばチルト及びギャップの補正がなされる。その結果、ＳＩＬ１０と光ディスク２とのギャップを一定に保持することができる。
【００２９】
この場合、上述したように、光ディスク２を収容するカートリッジ１内に、空気中の油分子などの微小なダストが混入することを抑制することができるため、レンズと光ディスク２の間にダストが混入することによるサーボ特性への影響を抑制し、安定した記録及び／又は再生が可能となる。
【００３０】
以上説明したように、本発明による光ディスク一体型カートリッジ、これを用いた光ディスク回転装置及び光記録再生装置を用いれば、光ディスクをクランプする部分を開口する必要がないことから、カートリッジ内へのダストの混入を効果的に回避することができて、ディスクを良好に回転することが可能となる。このため、従来の光ディスクと比較して、特に近接場光を用いる光ディスクに対する記録及び／又は再生を安定して良好に行うことが可能となる。
【００３１】
なお、本発明は、上述の実施の形態例に限定されることなく、本発明構成を逸脱しない範囲において、種々の変形、変更が可能である。
特に、上述の光記録再生装置において、再生専用型構成とするとか、また種々の記録再生態様に対応して偏光板、回折格子を用いる構成とするなど、各種装置構成に適用可能であることはいうまでもない。
【図面の簡単な説明】
【００３２】
【図１】本発明による光ディスク一体型カートリッジの一例の概略構成図である。
【図２】本発明による光ディスク回転装置の一例の要部の概略構成図である。
【図３】本発明による光ディスク回転装置の一例の概略構成図である。
【図４】本発明による光記録再生装置の一例の概略構成図である。
【符号の説明】
【００３３】
１．カートリッジ、２．光ディスク、３．シャッター、４．第１の支持体、５．第２の支持体、６．潤滑剤、７．潤滑剤、８.凹部、９.凹部、１１．スピンドルモーター、１２．回転軸、１３．クランパ、２１．情報源、２２．パワー制御手段、２３．光源、２４．コリメーターレンズ、２６．ビームスプリッター、２７．ミラー、２８．アクチュエーター、２９．光学レンズ、３０．ＳＩＬ、３１．フォトディテクター、３２．ギャップサーボ
【図１】
2005332450.tif 000003
【図２】
2005332450.tif 000004
【図３】
2005332450.tif 000005
【図４】
2005332450.tif 000006